(57)【要約】【課題】動画に対する評価項目によって動画をわかりやすく評価し表示することができる動画評価グラフ生成プログラム、動画評価グラフ生成方法、動画評価グラフ生成装置、および動画評価グラフ表示システムを提供する。【解決手段】送受信部１０１は、動画ＩＤを受付け、動画評価情報算出部１０２は、動画ＩＤに対応付けられた動画の長さを動画属性情報記憶部１１０から取得し、ログ情報を再生ログ情報記憶部１２０から取得し、取得した動画の長さおよびログ情報から動画ごとの動画評価情報を算出し、動画評価グラフ生成部１０３は、算出した動画評価情報を１または複数の評価軸に割り当てた動画評価グラフを生成する。【選択図】図1
2020170974.tif 000002
【特許請求の範囲】
【請求項１】
動画を識別する動画ＩＤと前記動画の長さとを対応付けて記憶する動画属性情報記憶部と、前記動画の再生に関するログ情報を記憶する再生ログ情報記憶部と、を備えるコンピュータで実行される動画評価グラフ生成プログラムであって、
前記コンピュータに、
前記動画ＩＤの入力を受付ける受付ステップと、
前記受付ステップによって受付けた前記動画ＩＤに対応付けられた前記動画の長さを前記動画属性情報記憶部から取得し、前記ログ情報を前記再生ログ情報記憶部から取得し、取得した前記動画の長さおよび前記ログ情報から前記動画ごとの動画評価情報を算出する動画評価情報算出ステップと、
前記動画評価情報算出ステップによって算出した前記動画評価情報を、１または複数の評価軸に割り当てた動画評価グラフを生成する動画評価グラフ生成ステップと、
を実行させることを特徴とする動画評価グラフ生成プログラム。
【請求項２】
前記動画評価情報は、
前記動画の長さ、
前記動画がウェブページで表示された回数を示すリーチ数、
前記動画の再生ボタンがクリックされた回数を示す再生回数、
前記リーチ数に対する前記再生回数の割合を示す再生率、
前記動画の１再生あたりの再生時間を示す平均再生時間、
前記動画の長さにおける前記平均再生時間の割合を示す再生割合、
前記動画が再生された時間の合計を示す総再生時間、
前記動画に付随する反応の合計数を示す反応数、
前記再生回数に対する前記反応数の割合を示す反応率、
のうちのいずれかであること、を特徴とする請求項１に記載の動画評価グラフ生成プログラム。
【請求項３】
前記動画評価グラフ生成ステップは、前記動画評価情報算出ステップによって算出した前記動画評価情報を、横軸と、縦軸と、前記横軸と前記縦軸における位置を示す図形の大きさと、に割り当てた動画評価グラフを生成することを特徴とする請求項１または請求項２に記載の動画評価グラフ生成プログラム。
【請求項４】
前記動画評価グラフ生成ステップは、前記動画評価情報算出ステップによって算出した前記動画評価情報を、さらに前記図形の色に割り当てた動画評価グラフを生成することを特徴とする請求項３に記載の動画評価グラフ生成プログラム。
【請求項５】
前記横軸と前記縦軸における位置を示す図形を円とし、
前記円を、さらに円グラフとして表示するとともに、
前記円グラフで示す内容として、
前記動画の再生ボタンがクリックされた時間帯である再生時間帯の割合、
前記動画を再生したユーザの性別の割合、
前記ユーザの年代の割合、
前記ユーザの居住地域の割合、
前記ユーザの使用したデバイスの割合、
のいずれかを表示すること、を特徴とする請求項３または請求項４に記載の動画評価グラフ生成プログラム。
【請求項６】
前記動画評価情報算出ステップは、前記動画の公開日から所定の期間または所定の期間ごとの前記動画評価情報を算出し、
前記動画評価グラフ生成ステップは、所定の期間または所定の期間ごとの前記動画評価情報を用いて前記動画評価グラフを生成すること、を特徴とする請求項１〜５に記載の動画評価グラフ生成プログラム。
【請求項７】
前記受付ステップは、前記動画評価情報の変更を受付け、
前記動画評価グラフ生成ステップは、前記受付ステップによって受付けた前記動画評価情報の変更に応じた前記動画評価グラフを生成すること、を特徴とする請求項１〜６に記載の動画評価グラフ生成プログラム。
【請求項８】
動画を識別する動画ＩＤと前記動画の長さとを対応付けて記憶する動画属性情報記憶部と、前記動画の再生に関するログ情報を記憶する再生ログ情報記憶部と、を備えるコンピュータで実行される動画評価グラフ生成方法であって、
前記動画ＩＤの入力を受付ける受付ステップと、
前記受付ステップによって受付けた前記動画ＩＤに対応付けられた前記動画の長さを前記動画属性情報記憶部から取得し、前記ログ情報を前記再生ログ情報記憶部から取得し、取得した前記動画の長さおよび前記ログ情報から前記動画ごとの動画評価情報を算出する動画評価情報算出ステップと、
前記動画評価情報算出ステップによって算出した前記動画評価情報を、１または複数の評価軸に割り当てた動画評価グラフを生成する動画評価グラフ生成ステップと、
を含むことを特徴とする動画評価グラフ生成方法。
【請求項９】
動画を識別する動画ＩＤと、前記動画の長さと、を対応付けて記憶する動画属性情報記憶手段と、
前記動画の再生に関するログ情報を記憶する再生ログ情報記憶手段と、
前記動画ＩＤの入力を受付ける受付手段と、
前記受付手段によって受付けた前記動画ＩＤに対応付けられた前記動画の長さを前記動画属性情報記憶手段から取得し、前記ログ情報を前記再生ログ情報記憶手段から取得し、取得した前記動画の長さおよび前記ログ情報から前記動画ごとの動画評価情報を算出する動画評価情報算出手段と、
前記動画評価情報算出手段によって算出した前記動画評価情報を１または複数の評価軸に割り当てた動画評価グラフを生成する動画評価グラフ生成手段と、
を備えることを特徴とする動画評価グラフ生成装置。
【請求項１０】
情報端末装置と、動画管理サーバとを備える動画評価グラフ表示システムであって、
前記動画管理サーバは、
動画を識別する動画ＩＤと、前記動画の長さと、を対応付けて記憶する動画属性情報記憶手段と、
前記動画の再生に関するログ情報を記憶する再生ログ情報記憶手段と、
前記動画ＩＤを前記情報端末装置から受信する受信手段と、
前記受信手段によって受信した前記動画ＩＤに対応付けられた前記動画の長さを前記動画属性情報記憶手段から取得し、前記ログ情報を前記再生ログ情報記憶手段から取得し、取得した前記動画の長さおよび前記ログ情報から前記動画ごとの動画評価情報を算出する動画評価情報算出手段と、
前記動画評価情報算出手段によって算出した前記動画評価情報を１または複数の評価軸に割り当てた動画評価グラフを生成する動画評価グラフ生成手段と、
前記動画評価グラフ生成手段によって生成した前記動画評価グラフを前記情報端末装置に送信する送信手段と、
前記情報端末装置は、
前記動画管理サーバから送信された前記動画評価グラフを表示する表示手段、
を備えることを特徴とする動画評価グラフ表示システム。
【発明の詳細な説明】
【技術分野】
【０００１】
本発明は、動画評価グラフ生成プログラム、動画評価グラフ生成方法、動画評価グラフ生成装置、および動画評価グラフ表示システムに関する。
【背景技術】
【０００２】
近年、多くの動画サイトにおいて数多くの動画が公開されており、ユーザは好みの動画を自由に楽しむ環境が整ってきた。そのような状況のなか、動画の提供者は、ユーザの嗜好やニーズに合った、評価の高い動画を提供することによって、より多くの動画を視聴してもらうことを望んでいる。動画の評価の一例として、再生開始操作から離脱までの時間である再生時間と、離脱時の再生地点である再生終了地点とに基づいて、動画の特性を判別する技術が開示されている（特許文献１参照）。
【先行技術文献】
【特許文献】
【０００３】
【特許文献１】特許第6401412号公報
【発明の概要】
【発明が解決しようとする課題】
【０００４】
しかしながら、上述した公報に記載された技術は、再生時間の平均／再生終了地点の平均で算出した評価値が閾値未満か否かによってレコメンド対象か否かを判断することができるものであり、動画自体を動画の提供者が望むいくつかの評価項目で評価することができないという問題があった。
【０００５】
本発明は、上記に鑑みてなされたものであり、動画に対する評価項目によって動画をわかりやすく評価し表示することができる動画評価グラフ生成プログラム、動画評価グラフ生成方法、動画評価グラフ生成装置、および動画評価グラフ表示システムを提供することを目的とする。
【課題を解決するための手段】
【０００６】
上述した課題を解決するために、本発明では、指示した動画ＩＤに対応付けられた動画の長さを動画属性情報記憶部から、動画ＩＤに対応付けられたログ情報を再生ログ情報記憶部から取得し、取得した動画の長さおよびログ情報から動画ごとの動画評価情報を算出し、算出した動画評価情報を１または複数の評価軸に割り当てた動画評価グラフを生成することを特徴とする。
【発明の効果】
【０００７】
上記のように構成した本発明によれば、動画に対する評価項目によって動画をわかりやすく評価し表示することができるという効果を奏する。
【図面の簡単な説明】
【０００８】
【図１】本実施例にかかる動画評価グラフ表示システム１０の構成例を示すブロック図である。
【図２】動画属性情報記憶部１１０に記憶するデータ構成の一例を示す説明図である。
【図３】再生ログ情報記憶部１２０に記憶するデータ構成の一例を示す説明図である。
【図４】ユーザ情報記憶部１３０に記憶するデータ構成の一例を示す説明図である。
【図５】動画管理サーバ１００と情報端末装置２００で実行する動画評価グラフ表示処理手順を示すフローチャートである。
【図６】動画評価グラフの表示の一例を示す説明図である。
【図７】動画評価グラフの表示の一例を示す説明図である。
【発明を実施するための形態】
【０００９】
以下、添付図面を参照し本発明の実施例を説明する。なお、以下の説明は、実施の形態の一例であり、本発明は、これらの実施例に限定されるものではない。
【００１０】
図１は、本実施例にかかる動画評価グラフ表示システム１０の構成例を示すブロック図である。動画評価グラフ表示システム１０は、動画管理サーバ１００と、１または複数の情報端末装置２００−１〜ｎ（以下、情報端末装置２００と示す）とを備える。動画管理サーバ１００と情報端末装置２００は、ネットワークＮを介して互いに通信可能に接続する。ネットワークＮは、インターネット、イントラネット、ＬＡＮ（Local Area Network）やＶＰＮ（Virtual Private Network）、移動体通信網等の任意の通信ネットワークおよびその組合せであり、一部または全部が有線または無線であってもよい。
【００１１】
動画管理サーバ１００について説明する。動画管理サーバ１００は、ユーザが再生した動画に関する情報を管理するウェブサーバであり、情報端末装置２００の要求に応じ動画評価グラフを生成する。動画管理サーバ１００は、送受信部１０１と、動画評価情報算出部１０２と、評価グラフ生成部１０３と、動画属性情報記憶部１１０と、再生ログ情報記憶部１２０と、ユーザ情報記憶部１３０と、を備える。
【００１２】
図２は、動画属性情報記憶部１１０に記憶するデータ構成の一例を示す説明図である。動画属性情報記憶部１１０は、動画それぞれの動画属性情報を記憶する。動画属性情報記憶部１１０は、動画を識別する情報である動画ＩＤと、動画の長さ（動画の尺）と、その他の情報とを対応付けて記憶する。その他の情報として、動画を公開した日時や動画の種別等を記憶してもよい。
【００１３】
図３は、再生ログ情報記憶部１２０に記憶するデータ構成の一例を示す説明図である。再生ログ情報記憶部１２０は、ユーザが動画を再生した際のログ情報を記憶する。再生ログ情報記憶部１２０は、動画ＩＤと、ユーザＩＤと、再生開始日時と、再生離脱日時と、ＣＴＡクリック有無と、ＳＮＳ反応数と、その他の情報とを対応付けて記憶する。
【００１４】
ここでの動画ＩＤは、ユーザの操作する情報端末装置においてウェブページ上で表示された動画を示す。ユーザＩＤは、ユーザを識別する情報である。再生開始日時は、ウェブページ上に動画を表示した後に動画の再生ボタンを最初にクリックした日時である。動画再生離脱日時は、動画の再生ボタンをクリックした後に他の動画やウェブページをクリック等で離脱した日時である。
【００１５】
ＣＴＡクリック有無は、動画上に表示されるＣＴＡがクリックされたか否かを示す情報である。なおＣＴＡとは、ユーザに対し“行動喚起”するために表示する情報であり、コールトゥアクション（call-to-action）と呼ばれる。ユーザがＣＴＡをクリックした場合には、予め設定されたＵＲＬのウェブページを表示する等の処理を実行する。なおＣＴＡを複数表示している場合には、ＣＴＡごとのクリックの有無やＣＴＡのクリック数としてもよい。
【００１６】
ＳＮＳ反応数は、動画評価グラフ表示システム１０内でウェブページに表示されるＳＮＳ（social networking service）のボタンのクリック数を示す情報である。例えばFacebook（登録商標）、Twitter（登録商標）等のボタンをユーザがクリックした数を示す情報である。
【００１７】
その他の情報としては、ユーザの操作する情報端末装置が存在する位置情報、ユーザの操作する情報端末装置のデバイスの種別（例えば、スマートフォン、ＰＣ、タブレット端末等）を取得してもよい。
【００１８】
図４は、ユーザ情報記憶部１３０に記憶するデータ構成の一例を示す説明図である。ユーザ情報記憶部１３０は、動画を再生するユーザに関する情報を記憶する。ユーザ情報記憶部１３０は、ユーザＩＤと、性別と、年代と、その他の情報とを対応付けて記憶する。ここで、性別は、ユーザの性別であり、年代は、ユーザの年齢に基づく年代である。なお年代は、さらに細かく分けても大まかに分けても年齢の幅を変えてもよい。その他の情報として、居住地等ユーザに関する情報をさらに加えてもよい。
【００１９】
送受信部１０１は、動画グラフ生成条件を情報端末装置２００から受信する。送受信部１０１は、動画評価グラフを情報端末装置２００に送信する。ここで、動画グラフ生成条件とは、動画評価グラフでの表示対象とする動画を指定するとともに、グラフの各軸にどの動画評価情報を割り当てるかを指定したものである。なお動画評価グラフで表示する対象動画は、指定した１または複数の動画を対象にしても、動画管理サーバ１００が管理するすべての動画を対象としてもよい。
【００２０】
動画評価情報算出部１０２は、動画グラフ生成条件に基づき、動画属性情報記憶部１１０に記憶する動画属性情報および再生ログ情報記憶部１２０に記憶するログ情報、ユーザ情報記憶部１３０に記憶するユーザ情報を用いて動画評価情報を算出する。動画評価情報は、動画ごとの、動画の長さ、動画がウェブページで表示された回数を示すリーチ数、動画の再生ボタンがクリックされた回数を示す再生回数、リーチ数に対する再生回数の割合を示す再生率、動画の１再生あたりの再生時間を示す平均再生時間、動画の長さにおける平均再生時間の割合を示す再生割合、動画が再生された時間の合計を示す総再生時間、動画に付随する反応の合計数を示す反応数、再生回数に対する反応数の割合を示す反応率等である。
【００２１】
評価グラフ生成部１０３は、動画評価情報算出部１０２によって算出された動画評価情報を用いて動画評価グラフを生成する。評価グラフ生成部１０３は、動画評価情報算出部１０２によって算出した動画評価情報のうち、指定された動画評価情報それぞれを指定された１または複数の評価軸に割り当てた動画評価グラフを生成する。一例として、評価グラフ生成部１０３は、指定された１の動画評価情報を横軸（Ｘ軸）または縦軸（Ｙ軸）に割り当てた動画評価グラフを生成する。また２の動画評価情報を横軸と縦軸に割り当てた動画評価グラフを生成する。３の動画評価情報を横軸（Ｘ軸）、縦軸（Ｙ軸）、Ｚ軸に割り当てた動画評価グラフ、または、横軸、縦軸、横軸と縦軸における位置を示す図形の大きさに割り当てた動画評価グラフを生成する。４の動画評価情報を横軸、縦軸、横軸と縦軸における位置を示す図形の大きさ、図形の色に割り当てた動画評価グラフを生成する。その他適切な動画評価グラフの表示方法があれば、５以上の動画評価情報を５以上の評価軸に割り当てた動画評価グラフを生成してもよい。
【００２２】
情報端末装置２００は、例えばパーソナルコンピュータ、タブレット端末、スマートフォン等であり、ウェブブラウザが動作しウェブページを表示する。情報端末装置２００は、送受信部２０１と、操作表示部２０２とを備える。
【００２３】
送受信部２０１は、動画評価グラフ生成条件を動画管理サーバ１００に送信し、動画評価グラフ生成条件に応じた動画評価グラフを動画管理サーバ１００から受信する。
【００２４】
操作表示部２０２は、動画評価グラフ生成条件の入力を受付け、動画管理サーバ１００から受信した動画評価グラフを表示する。操作表示部２０２は、入力部と表示部と備え、入力部はマウスやキーボード等、表示部はディスプレイ等であり、スマートフォンやタブレット端末等の場合は、液晶ディスプレイとタッチセンサを重畳し構成するタッチパネルである。また音声入出力を制御するマイクロフォン、スピーカ、その他の入出力装置を加えた構成であってもよい。
【００２５】
上述のように構成された動画評価グラフ表示システム１０で実行する動画評価グラフ表示処理について説明する。図５は、動画管理サーバ１００と情報端末装置２００とで実行する動画評価グラフ表示処理手順を示すフローチャートである。
【００２６】
情報端末装置２００において、操作表示部２０２は、動画評価グラフ生成条件の入力を受付ける（ステップＳ５０１）。動画評価グラフ生成条件として、評価対象の動画を選択する。例えば、動画管理サーバ１００での管理対象である動画一覧等から動画を指示することによって動画ＩＤを取得する。さらに動画評価グラフの各軸にどの動画評価情報を割り当てるかの入力を受付ける。例えば、横軸を“再生割合”、縦軸を“再生回数”、図形（例えば円）の大きさを“動画の長さ”、図形の色を“動画の再生率”のように選択する。なお動画評価ブラフをどのように生成するかは、このような入力を受付けることなく規定値としてもよい。送受信部２０１は、動画評価グラフ生成条件を動画管理サーバ１００に送信する（ステップＳ５０２）。
【００２７】
動画管理サーバ１００において、送受信部１０１は、動画評価グラフ生成条件を情報端末装置２００から受信する（ステップＳ５０３）。動画評価情報算出部１０２は、動画評価グラフ生成条件に応じた、動画ＩＤに対応する動画ごとの動画評価情報を算出する（ステップＳ５０４）。一例として、“再生割合”を算出する場合について説明する。動画評価情報算出部１０２は、動画ＩＤごとに、動画属性情報記憶部１１０に記憶する動画の長さを取得するとともに、動画ＩＤごとに、再生ログ情報記憶部１２０に記憶する再生開始日時と再生離脱日時の差異から再生時間を取得し、取得した再生時間の平均値である平均再生時間を算出する。さらに動画ごとに平均再生時間／動画の長さを算出することによって、動画ごとの“再生割合”を求めることができる。
【００２８】
評価グラフ生成部１０３は、動画の動画評価情報をグラフの各軸に割り当てる（ステップＳ５０５）。例えば、横軸に“再生割合”、縦軸に“再生回数”、図形（例えば円）の大きさを“動画の長さ”、図形の色を“動画の再生率”のように割り当てる。例えば図形の色は、動画の再生率が高い←→動画の再生率が低いというような動画評価情報の数値の違いを暖色系の色（図６では、ドットの密度を高く表示）←→寒色系の色（図６では、ドットの密度を低く表示）に対応させる。評価グラフ生成部１０３は、動画ごとの動画評価情報をグラフの各軸に割り当てて描画した動画評価グラフを生成する（ステップＳ５０６）。
【００２９】
図６は、動画評価グラフの表示の一例を示す説明図である。図６は、動画Ａ〜Ｅの５つの動画を対比した動画評価グラフを示す。動画Ａを示す円６１は、円の半径が５つの動画のなかで最も大きいことにより、動画の長さが５つの画像のなかで最も長く（情報量が多く）、横軸“再生割合”は半分より右に位置していることにより動画の再生割合がやや高く、縦軸“再生回数”は半分程度であることにより、５つの動画の平均程度は再生されていることがわかる。また図形の色が示す“再生率”は、寒色であることから動画がウェブページ上に表示され回数に対し動画の再生ボタンがクリックされた割合が少ない。このように、対象の動画に対する評価が視覚的にわかりやすく、また他の動画と対比した動画評価グラフとして生成することができる。
【００３０】
動画Ｂを示す円６２は、円の半径が動画の長さが５つの画像のなかで最も小さいことにより、動画の長さが５つの画像のなかで最も短く（情報量が少なく）、横軸“再生割合”は右に位置していることにより動画を最後まで再生されていることが多く、縦軸“再生回数”は上部に位置することにより、５つの動画で最も多く再生されている。また図形の色が示す“再生率”は、暖色であることから動画がウェブページ上に表示された回数に対し動画の再生ボタンがクリックされた割合の多いことがわかる。
【００３１】
動画Ｄを示す円６３は、円の半径が５つの画像のなかで動画Ｂと同様に最も小さいことにより、動画の長さが５つの画像のなかで最も短く（情報量が少なく）、横軸“再生割合”は左端に位置していることにより動画を最後まで再生されることが少なくすぐに離脱されており、縦軸“再生回数”は下部に位置することにより、５つの動画での最も少なく再生されていることがわかる。また図形の色が示す“再生率”は、寒色であることから動画がウェブページ上に表示され回数に対し動画の再生ボタンがクリックされた割合も少ないことがわかる。送受信部１０１は、動画評価グラフを情報端末装置２００に送信する（ステップＳ５０７）。
【００３２】
情報端末装置２００において、送受信部２０１は、動画評価グラフを動画管理サーバ１００から受信する（ステップＳ５０８）。操作表示部２０２は、動画評価グラフを表示部に表示する（ステップＳ５０９）。操作表示部２０２は、注目動画の入力を受付ける（ステップＳ５１０）。例えば、図６の動画Ａを示す円６１を指示した結果、指示した動画の表示を変更する（例えば、図７で示すような同心円を加える等）ことによってどの動画を注目しているかを明示することができる。操作表示部２０２は、動画評価グラフの動画評価情報の変更を受付ける（ステップＳ５１１）。例えば、図６の動画評価情報の項目名である“再生割合”６４をクリックした場合に選択可能な項目名をプルダウンメニュー等で表示し項目名を選択することによって、横軸の動画評価情報の変更を受付ける。なお変更する動画評価情報は、１つでも複数であってもよく、評価軸を追加または削除してもよい。送受信部２０１は、動画評価情報の変更を動画管理サーバ１００に送信する（ステップＳ５１２）。
【００３３】
動画管理サーバ１００の送受信部１０１は、動画評価情報の変更を受信する（ステップＳ５１３）。評価グラフ生成部１０３は、動画評価情報の変更に応じた動画評価グラフを生成する（ステップＳ５１４）。図７は、動画評価グラフの表示の一例を示す説明図である。図７は、図６の横軸であった“再生割合”を“反応率”に変更した場合の動画評価グラフを示す。動画Ａを示す円７１は、図６の位置より右に移動しており、５つの動画での最も反応率がよい。円７２は、注目動画であることを明示するための印であり、ステップＳ５１０で動画を指示した際に図６においても表示される。このように注目動画を明示する印を表示することによって、データを変更した場合に、注目動画がどの位置に移動したかを容易に認識することができる。送受信部２０１は、動画評価グラフを情報端末装置２００に送信する（ステップＳ５１５）。
【００３４】
情報端末装置２００において、送受信部２０１は、動画評価グラフを動画管理サーバ１００から受信する（ステップＳ５１６）。操作表示部２０２は、動画評価グラフを表示部に表示する（ステップＳ５１７）。なお操作表示部２０２は、動画評価情報の変更前後の動画評価グラフが動画評価情報の変更に応じて変化するよう、例えば各動画を示す円の移動をコマ送り等のアニメーションのように表示してもよい。これにより、注目動画と他の動画との対比や動画の特徴、他の動画との差異をより視覚的および感覚的に理解することができる。操作表示部２０２は、動画評価グラフの表示を終了するか否かを判断する（ステップＳ５１８）。動画評価グラフの表示を終了しないと判断した場合は（ステップＳ５１８：Ｎｏ）、ステップＳ５０１に戻り、新たな処理を実行する。なおステップＳ５０１に戻らずステップＳ５１０またはステップＳ５１１に戻り、処理を実行してもよい。動画評価グラフの表示を終了すると判断した場合は（ステップＳ５１８：Ｙｅｓ）、処理を終了する。
【００３５】
このように、ユーザが再生した動画ごとの動画評価情報を多次元でグラフ化することによって、ユーザの反応に基づいた動画の特性を可視化することができる。また複数の動画を１つの動画評価グラフに表示することによって、注目する動画と他の動画を比較することができ、注目する動画の位置付けを容易に理解することができる。
【００３６】
他の実施例として、実際の動画との対比のみではなく、評価対象として注目する動画とともに、当初想定したユーザの反応に応じた、基準となる動画の動画評価情報を加えた動画評価グラフを生成し表示してもよい。これによって、想定通りに評価対象の動画がユーザに再生されているか想定通りの反応を得ているか（例えば、評価対象の動画が当初狙った“再生割合”や“再生率”等を獲得できているか）を視覚的に確認することができる。
【００３７】
他の実施例として、動画評価グラフで表示する動画評価情報は、指定した動画についての再生ログ情報記憶部１２０に記憶するログ情報のすべてを対象とするほか、動画を公開日からの所定の期間（例えば、１時間、１日、１週間、１ヶ月、３ヶ月等）、所定の期間ごとの時系列のデータによって動画評価グラフを生成し表示してもよい。これによって、時間経過によるユーザの反応を可視化し確認することができる。また、ユーザ情報記憶部１３０を参照してユーザＩＤに対応付けられたユーザの属性（例えば、性別、年代等）ごとに、動画評価グラフを生成し表示してもよい。
【００３８】
図５のステップＳ５１２〜Ｓ５１６において、動画評価情報の変更を動画管理サーバ１００に送信し、動画管理サーバ１００にて動画評価グラフを生成し、生成した動画評価グラフを受信し表示したが、それに代えて、ステップＳ５０８で動画評価グラフを受信する際に、ステップＳ５０４で算出した動画評価情報を加えて受信することによって、情報端末装置２００の操作表示部２０２において、受信した動画評価情報を用いて動画評価グラフを生成し表示してもよい。
【００３９】
また、図６の円６１等への指示に応じて、動画のサムネイルや動画に関する情報の表示、別ウィンドウで動画の再生を実行してもよく、さらに円６１等は、再生ログ情報記憶部１２０に記憶するログ情報とユーザ情報記憶部１３０に記憶するユーザ情報を用いて算出した、動画の再生ボタンがクリックされた時間帯である再生時間帯の割合、動画を再生したユーザの性別の割合、ユーザの年代の割合、ユーザの居住地域の割合、ユーザの使用したデバイスの割合等を示した円グラフとして表示してもよい。
【００４０】
上述した実施例のように、動画管理サーバ１００と情報端末装置２００とを備える動画評価グラフ表示システム１０ではなく、動画管理サーバ１００または情報端末装置２００の単独で上述した構成を備え、動画評価グラフを生成し表示してもよい。
【００４１】
上述した実施例にかかる動画管理サーバ１００、情報端末装置２００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００４２】
動画管理サーバ１００、情報端末装置２００で動作するプログラムは、インターネット等のネットワークに接続されたコンピュータ上に格納しておき、ネットワーク経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。  
【００４３】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００４４】
１０…動画評価グラフ表示システム、１００…動画管理サーバ、１０１…送受信部、１０２…動画評価情報算出部、１０３…評価グラフ生成部、１１０…動画属性情報記憶部、１２０…再生ログ情報記憶部、１１０…ユーザ情報記憶部、２００…情報端末装置、２０１…送受信部、２０２…操作表示部、Ｎ…ネットワーク
【図１】
2020170974.tif 000003
【図２】
2020170974.tif 000004
【図３】
2020170974.tif 000005
【図４】
2020170974.tif 000006
【図５】
2020170974.tif 000007
【図６】
2020170974.tif 000008
【図７】
2020170974.tif 000009